(57)【特許請求の範囲】
【請求項１】
ウェブページデータを構成するために必要なデータを記録するデータベースと、
前記データベースから必要なデータを読み出して前記ウェブページデータを構成するデータ処理部と、
前記データ処理部が構成した前記ウェブページデータを、通信ネットワークを介して端末に対して送信するとともに、前記端末から送信される当該端末におけるウェブページに対する操作内容を表す操作内容データを、前記通信ネットワークを介して受信する通信部と、を備え、
前記データ処理部は、店舗で販売される第１商品を特定するための情報を表す第１商品画像と、前記店舗で精算処理に使用される読取装置に読み取られることで前記第１商品の特売価格が認識される第１商品コード画像と、が組み合わせられたクーポン画像が含まれる第１ウェブページを前記端末で表示するための前記ウェブページデータと、少なくとも１つの前記第１商品画像が含まれる第２ウェブページを表す前記ウェブページデータと、を構成するものであって、
前記通信部が、複数の前記第１商品画像が含まれる前記第２ウェブページを表す前記ウェブページデータを前記端末に対して送信した後に、当該端末から送信される複数の前記第１商品を選択する旨の前記第２ウェブページに対する操作内容を表す前記操作内容データを受信した場合、前記データ処理部は、選択された全ての前記第１商品の前記クーポン画像が含まれる前記第１ウェブページを前記端末で表示するための前記ウェブページデータを構成することを特徴とする情報配信装置。
【請求項２】
前記第１商品コード画像の少なくとも一部に、前記第１商品の前記特売価格を表す符号が含まれていることを特徴とする請求項１に記載の情報配信装置。
【請求項３】
前記第１ウェブページには保存ボタンが含まれており、前記端末で前記保存ボタンが実行されると、前記第１ウェブページに含まれている前記クーポン画像を表す情報が、前記端末のｃｏｏｋｉｅ情報に付加されるように、前記第１ウェブページを前記端末で表示するための前記ウェブページデータが構成され、
前記第２ウェブページには再表示ボタンが含まれており、
前記データ処理部は、前記端末から送信される前記再表示ボタンを実行する旨の前記第２ウェブページに対する操作内容を表す前記操作内容データを前記通信部が受信すると、前記端末の前記ｃｏｏｋｉｅ情報を参照することで、前記端末における前記保存ボタンの実行時に前記第１ウェブページに含まれていた前記クーポン画像を表す情報を認識して、当該クーポン画像が含まれる第３ウェブページを前記端末で表示するための前記ウェブページデータを構成することを特徴とする請求項１または２に記載の情報配信装置。
【請求項４】
前記データ処理部は、
第２商品を特定するための情報を表す第２商品画像と、前記端末を操作する者による所定の意思表示を受け付けるリクエストボタンと、を含む第４ウェブページを前記端末で表示するための前記ウェブページデータを構成するとともに、
前記端末から送信される前記リクエストボタンを実行する旨の前記第４ウェブページに対する操作内容を表す前記操作内容データを前記通信部が受信した回数であるリクエスト回数を、計数することを特徴とする請求項１〜３のいずれか１項に記載の情報配信装置。
【請求項５】
前記データ処理部は、前記リクエスト回数が所定の閾値回数を超えると、予め設定されている通知先に対して通知を行うことを特徴とする請求項４に記載の情報配信装置。
【請求項６】
前記データ処理部は、前記第１ウェブページを完全には表示することができない特定の端末に対して、前記第１ウェブページではなく、前記第１商品画像によって構成される簡易クーポン画像が含まれる第５ウェブページを当該端末で表示するための前記ウェブページデータを構成することを特徴とする請求項１〜５のいずれか１項に記載の情報配信装置。
【請求項７】
前記端末で操作される前の前記第２ウェブページには、前記第１商品画像と１対１で対応する選択ボタンと、選択確定ボタンと、が含まれており、
前記第２ウェブページを前記端末で表示するための前記ウェブページデータが、
前記第２ウェブページを表示する前記端末で前記選択ボタンが実行されると、当該選択ボタンが対応する前記第１商品画像の表示状態が変化するとともに当該第１商品画像に対応する選択解除ボタンが表示され、前記端末で前記選択解除ボタンが実行されると、当該選択解除ボタンに対応する前記第１商品画像の表示状態が元の状態に戻るとともに当該選択解除ボタンが表示されなくなり、さらに、
前記選択ボタンの実行によって、少なくとも１つの前記第１商品画像の表示状態が変化している状態で、前記端末で前記選択確定ボタンが実行されると、前記選択ボタンの実行によって表示状態が変化している前記第１商品画像が表す前記第１商品を選択する旨の前記第２ウェブページに対する前記操作内容データが、前記端末から送信されて前記通信ネットワークを介して前記通信部で受信されるように、
構成されていることを特徴とする請求項１〜６のいずれか１項に記載の情報配信装置。
【請求項８】
前記第１商品画像に文字が含まれるとともに、前記第１商品コード画像がバーコードの画像であり、
前記クーポン画像は、前記第１商品画像における前記文字の字送り方向と前記第１商品コード画像における前記バーコードのバー配列方向とが平行になり、前記第１商品画像及び前記第１商品コード画像が前記字送り方向及び前記バー配列方向に対して垂直となる方向に並ぶように組み合わせられて構成されており、
前記第１ウェブページに複数の前記クーポン画像が含まれる場合、当該クーポン画像が前記字送り方向及び前記バー配列方向に対して垂直となる方向に一列に並べられて配置されることで、前記第１商品画像及び前記第１商品コード画像が交互に並ぶように配置されることを特徴とする請求項１〜７のいずれか１項に記載の情報配信装置。
【請求項９】
前記データ処理部は、前記店舗毎に異なる前記ウェブページデータを構成することを特徴とする請求項１〜８のいずれか１項に記載の情報配信装置。
【請求項１０】
請求項１〜９のいずれか１項に記載の情報配信装置と、
前記データベースを参照して値札を作製するラベルライタと、を備え、
前記ラベルライタは、前記データベースに情報が記録されている前記第１商品の前記値札を作製する際に、前記第１商品であることを表す印を付加した前記値札を作製することを特徴とする商品販売支援システム。
【発明の詳細な説明】
【技術分野】
【０００１】
本発明は、インターネット等の通信ネットワークを介して端末に情報を配信する情報配信装置と、当該情報配信装置を利用した商品販売支援システムと、に関する。
【背景技術】
【０００２】
近年、小売業や、飲食・宿泊提供業などのサービス業など、様々な業種において、インターネット等の通信ネットワークを利用した顧客の誘引が行われている。例えば、顧客において有益な情報を、通信ネットワークを介して顧客の端末に送信することによって、店舗の利用の促進を図ることが行われている。
【０００３】
具体的に例えば、特許文献１では、商品の割引情報を表すバーコードを含むクーポン画像を配信するオンラインクーポン配布システムが提案されている。このシステムでは、顧客が、自己が所有する移動電話を用いて、当該移動電話宛に送られてきたメールに記載のＵＲＬ（Uniform Resource Locator）にアクセスすると、当該移動電話に対してクーポン画像が送信される。そして、顧客は、店舗での精算処理時において、当該クーポン画像を表示した状態の当該移動電話を従業員に提示することによって、割引を受けることができる。
【先行技術文献】
【特許文献】
【０００４】
【特許文献１】特開２００３−３０３２９７号公報
【発明の概要】
【発明が解決しようとする課題】
【０００５】
しかしながら、特許文献１において提案されているオンラインクーポン配布システムでは、精算処理時にクーポン画像を表示した状態の移動端末の提示を受けた従業員が、キャッシュレジスタに対して複雑かつ多くの操作を行う必要がある。具体的に例えば、当該従業員は、（１）キャッシュレジスタに対して正規の価格を入力するかキャッシュレジスタによって商品のバーコードを読み取る、（２）キャッシュレジスタの動作モードを変更してクーポン画像を読み取るモードにする、（３）キャッシュレジスタによってクーポン画像を読み取る、という３つの操作を順番に行う必要がある。そのため、精算処理の迅速性及び円滑性が損なわれるという問題が生じる。
【０００６】
そこで、本発明は、精算処理の迅速性及び円滑性を損なうことなく、顧客に対して有益な情報を配信することで顧客を誘引する情報配信装置を提供することを目的とする。
【課題を解決するための手段】
【０００７】
上記目的を達成するため、本発明は、ウェブページデータを構成するために必要なデータを記録するデータベースと、前記データベースから必要なデータを読み出して前記ウェブページデータを構成するデータ処理部と、前記データ処理部が構成した前記ウェブページデータを、通信ネットワークを介して端末に対して送信する通信部と、を備え、前記データ処理部は、店舗で販売される第１商品を特定するための情報を表す第１商品画像と、前記店舗で精算処理に使用される読取装置に読み取られることで前記第１商品の特売価格が認識される第１商品コード画像と、が組み合わせられたクーポン画像が含まれる第１ウェブページを前記端末で表示するための前記ウェブページデータを構成することを特徴とする情報配信装置を提供する。
【０００８】
この情報配信装置によれば、店頭表示価格と、クーポン画像で設定する特売価格と、の二重価格を設定することが可能になる。そのため、第１ウェブページを見た顧客を店舗に誘引するとともに、ウェブページの閲覧を促進することが可能になる。さらに、店舗における精算処理では、従業員が、顧客から提示された端末に表示されている（または、顧客から提示された紙に印刷されている）第１商品コード画像を読み取るという１回の操作のみで、第１商品の精算処理を行うことができる。
【０００９】
また、上記特徴の情報配信装置において、前記第１商品コード画像の少なくとも一部に、前記第１商品の前記特売価格を表す符号が含まれていると、好ましい。
【００１０】
この情報配信装置によれば、第１商品コード画像を読み取るのみで、即座に第１商品の特売価格を認識することが可能になる。したがって、ＰＯＳ（Point Of Sales）システムを構成するデータベースにおいて複雑な設定をすることなく、簡易な方法で二重価格を設定することが可能になる。
【００１１】
また、上記特徴の情報配信装置において、前記通信部は、前記端末から送信される前記端末における前記ウェブページに対する操作内容を表す操作内容データを、前記通信ネットワークを介して受信するものであり、前記データ処理部は、少なくとも１つの前記第１商品画像が含まれる第２ウェブページを表す前記ウェブページデータを構成した後に、前記端末から送信される少なくとも１つの前記第１商品を選択する旨の前記操作内容データを前記通信部が受信すると、選択された前記第１商品の前記クーポン画像が含まれる前記第１ウェブページを前記端末で表示するための前記ウェブページデータを構成すると、好ましい。
【００１２】
この情報配信装置によれば、第１ウェブページにおいて、顧客が選択した第１商品のクーポン画像のみが端末に表示される。そのため、全ての第１商品のクーポン画像を表示する場合（特に、第１商品が数十種類などの多数になる場合）と比較して、第１ウェブページを小さくすることができる。したがって、店舗で精算処理をする際に、従業員が読み取るべきクーポン画像を発見し易くすることが可能になるため、精算処理の迅速性及び円滑性が損なわれることを効果的に抑制することが可能になる。
【００１３】
さらに、上記特徴の情報配信装置において、前記第１ウェブページには保存ボタンが含まれており、前記端末で前記保存ボタンが実行されると、前記第１ウェブページに含まれている前記クーポン画像を表す情報が、前記端末の識別情報に付加されるように、前記第１ウェブページを前記端末で表示するための前記ウェブページデータが構成され、前記データ処理部は、前記端末から送信される保存した前記クーポン画像を再表示する旨の前記操作内容データを前記通信部が受信すると、前記端末の前記識別情報を参照して、前記端末における前記保存ボタンの実行時に前記第１ウェブページに含まれていた前記クーポン画像が含まれる第３ウェブページを前記端末で表示するための前記ウェブページデータを構成すると、好ましい。
【００１４】
この情報配信装置によれば、顧客がクーポン画像を別途保存したり印刷したりする手間を省くことが可能になる。特に、顧客が、店舗に赴いて精算処理を行うまでの間に、端末（特に、スマートフォンやタブレット端末などのモバイル端末）を自由に使用することが可能になる。
【００１５】
また、上記特徴の情報配信装置において、前記通信部は、前記端末から送信される前記端末における前記ウェブページに対する操作内容を表す操作内容データを、前記通信ネットワークを介して受信するものであり、前記データ処理部は、第２商品を特定するための情報を表す第２商品画像と、前記端末を操作する者による所定の意思表示を受け付けるリクエストボタンと、を含む第４ウェブページを前記端末で表示するための前記ウェブページデータを構成するとともに、前記端末から送信される前記リクエストボタンを実行する旨を表す前記操作内容データを前記通信部が受信した回数であるリクエスト回数を、計数すると、好ましい。
【００１６】
この情報配信装置によれば、店舗の担当者が、第２商品の販売方針を決定する際に、顧客の第２商品に対する評価を参酌することが可能になる。したがって、店舗の担当者が、顧客の声を反映した販売方針を決定することが可能になる。
【００１７】
さらに、上記特徴の情報配信装置において、前記データ処理部は、前記リクエスト回数が所定の閾値回数を超えると、予め設定されている通知先に対して通知を行うと、好ましい。
【００１８】
この情報配信装置によれば、店舗の担当者が、第２商品のリクエスト回数が増大したことを迅速に知ることができる。そのため、第２商品の販売方針を迅速に決定することが可能になる。
【００１９】
また、上記特徴の情報配信装置において、前記データ処理部は、前記第１ウェブページを完全には表示することができない特定の端末に対して、前記第１ウェブページではなく、前記第１商品識別画像によって構成される制限クーポン画像が含まれる第５ウェブページを当該端末で表示するための前記ウェブページデータを構成すると、好ましい。
【００２０】
この情報配信装置によれば、フィーチャーフォンなどの第１ウェブページを完全には表示することができない端末であっても、端末に則した形態で利用することが可能になる。
【００２１】
また、本発明は、上記の情報配信装置を利用した商品販売方法であって、店舗で販売のために展示する前記第１商品に対して、前記第１商品であることを表す印を付加することを特徴とする。
【００２２】
この商品販売方法によれば、従業員において、精算処理をしようとしている商品が第１商品であるか否かを明確に認識することが可能になる。また、顧客において、第１商品ではない商品を第１商品であると誤って認識することを抑制することが可能になる。
【発明の効果】
【００２３】
上記特徴の情報配信装置によれば、特売価格を設定したクーポン画像を含む第１ウェブページを顧客の端末に送信することで、顧客を誘引することができる。さらに、従業員は、顧客から提示された第１コード画像を読み取るという１回の操作のみで、迅速かつ円滑な精算処理を行うことができる。したがって、精算処理の迅速性及び円滑性を損なうことなく、顧客に対して有益な情報を配信することで顧客を誘引することが可能になる。
【図面の簡単な説明】
【００２４】
【図１】本発明の実施形態に係る情報配信装置の全体構成例について示すブロック図。
【図２】端末に表示されるウェブページ（トップページ）の一例について示す図。
【図３】端末に表示されるウェブページ（トップページ）の一例について示す図。
【図４】端末において図２の選択確定ボタンを実行した場合に表示されるウェブページの一例について示す図。
【図５】図４の保存ボタンを実行したことがある端末において表示されるウェブページ（トップページ）の一例について示す図。
【図６】端末において図５の再表示ボタンを実行した場合に表示されるウェブページの一例について示す図。
【図７】特定端末に表示されるウェブページ（トップページ）の一例について示す図。
【図８】特定端末において図７の第２商品表示ボタンを実行した場合に表示されるウェブページの一例について示す図。
【図９】特定端末において図７の第１商品表示ボタンを実行した場合に表示されるウェブページの一例について示す図。
【図１０】特定端末において図８の選択確定ボタンを実行した場合に表示されるウェブページの一例について示す図。
【図１１】第１商品の店舗での展示方法の一例について示す図。
【発明を実施するための形態】
【００２５】
＜全体構成例＞
最初に、本発明の実施形態に係る情報配信装置の全体構成例について説明する。図１は、本発明の実施形態に係る情報配信装置の全体構成例について示すブロック図である。
【００２６】
図１に示すように、本発明の実施形態に係る情報配信装置１は、データベース１１と、データ処理部１２と、通信部１３と、を備える。情報配信装置１は、インターネット等の通信ネットワークＮを介して、端末Ｔに対してウェブページデータ（端末Ｔでウェブページを表示するためのデータ）を送信する。
【００２７】
データベース１１は、例えばハードディスクや半導体メモリ等を備えた記録装置によって構成され、種々のデータを記録する。特に、データベース１１は、ＨＴＭＬ（Hyper Text Markup Language）等の所定の言語で記載されたソースデータや画像データなど、ウェブページデータを構成するために必要なデータを記録する。
【００２８】
データ処理部１２は、例えばＣＰＵ（Central Processing Unit）等の演算装置やメモリ等の記憶装置などによって構成され、種々の処理を行う。特に、データ処理部１２は、データベース１１から必要なデータを読み出してウェブページデータを構成する処理を行う。
【００２９】
通信部１３は、無線または有線の送受信を行うために必要な処理（例えば、符号化処理、変調処理、復調処理、復号化処理など）を行う通信装置によって構成され、通信ネットワークＮを介して端末Ｔとの間でデータの送受信を行う。特に、通信部１３は、通信ネットワークＮを介して、データ処理部１２が構成したウェブページデータを端末Ｔに対して送信するとともに、端末Ｔから送信される、端末Ｔにおけるウェブページに対する操作内容を表す操作内容データを受信する。
【００３０】
＜第１動作例＞
次に、図１に示した本発明の実施形態に係る情報配信装置１の動作例について説明する。なお、以下では、端末Ｔに表示されるウェブページの具体例を挙げて、情報配信装置１の動作について説明する。また、以下では説明を簡略化するために、端末Ｔと情報配信装置１との間におけるデータの送受信の説明において、通信ネットワークＮに関する説明を省略する。
【００３１】
また、本発明の実施形態に係る情報配信装置１では、アクセスしてきた端末Ｔの種類に応じて、データ処理部１２が異なるウェブページデータを構成し、当該ウェブページデータを通信部１３が端末Ｔに対して送信する。そこで、最初に、端末Ｔがパソコン、スマートフォン、タブレット端末などの高度なブラウジング（例えば、パソコンと同じフルブラウジング）が可能な端末である場合における、情報配信装置１の動作例について、図面を参照して説明する。
【００３２】
図２及び図３は、端末に表示されるウェブページ（トップページ）の一例について示す図である。なお、紙面の都合上、図２及び図３では、１つのウェブページを２つの図面に分断して示している。
【００３３】
図２及び図３に示すウェブページ（第２ウェブページ及び第４ウェブページに相当）において、領域Ａ１１，Ａ１３，Ａ１５は、広告を表示する領域である。例えば、端末Ｔにおいて、領域Ａ１１，Ａ１３，Ａ１５に表示されている広告を実行する操作（例えば、クリックやタップなどの操作。以下同じ。）が行われると、当該広告に対応した外部のＵＲＬ（情報配信装置１とは異なるウェブサーバのＵＲＬ）にアクセスするように、ウェブページデータを構成してもよい。また例えば、端末Ｔにおいて、領域Ａ１１，Ａ１３，Ａ１５に表示されている広告を実行する操作が行われると、その旨の操作内容データが端末Ｔから情報配信装置１に対して送信されるように、ウェブページデータを構成してもよい。この場合、当該操作内容データを通信部１３が受信すると、データ処理部１２がデータベース１１に記録されている当該広告に対応するウェブページデータを読み出し、通信部１３が当該ウェブページデータを端末Ｔに対して送信する。また例えば、領域Ａ１１，Ａ１３，Ａ１５において、単に広告用の画像が表示される（端末Ｔにおける操作を受け付けない）ように、ウェブページデータを構成してもよい。
【００３４】
領域Ａ１６は、ウェブページのメニューを表示する領域である。領域Ａ１６には、メニューを構成するそれぞれの選択肢を表すメニューボタンＰ１６１と、ＳＮＳ（Social Networking Service）と連携するＳＮＳボタンＰ１６２と、が含まれる。例えば、端末Ｔにおいて、メニューボタンＰ１６１を実行する操作が行われると、その旨の操作内容データが端末Ｔから情報配信装置１に対して送信されるように、ウェブページデータが構成されている。そして、当該操作内容データを通信部１３が受信すると、データ処理部１２が、データベース１１に記録されているメニューボタンＰ１６１に対応するウェブページデータを読み出し、通信部１３が当該ウェブページデータを端末Ｔに対して送信する。また例えば、端末Ｔにおいて、ＳＮＳボタンＰ１６２を実行する操作が行われると、ＳＮＳボタンＰ１６２に対応したＳＮＳにおいて、図２及び図３に示すウェブページが紹介されるように、ウェブページデータが構成されている。
【００３５】
領域Ａ１４は、顧客のリクエストを受け付けるための領域である。領域Ａ１４には、リクエスト対象の商品（以下、「第２商品」という）を特定するための情報を表す画像である第２商品画像Ｐ１４１，Ｐ１４２と、リクエストボタンＰ１４３と、リクエストボタンＰ１４３が実行された回数を表すリクエストカウンタＰ１４４と、が含まれている。
【００３６】
例えば、第２商品は、特売するか否かを検討している商品（後述する第１商品の候補となる商品）や、店舗での取り扱いを検討している商品など、今後の販売方針が未定の商品である。
【００３７】
第２商品画像Ｐ１４１は、第２商品の外観を写真や絵で表した画像である。また、第２商品画像Ｐ１４２は、第２商品の商品名などの情報を文字で表した画像である。第２商品画像Ｐ１４１，１４２は、店舗の従業員及び顧客が第２商品を特定することができる情報を表すものであれば、どのような画像であってもよい。例えば、第２商品画像Ｐ１４１が無く、第２商品画像Ｐ１４２のみであってもよい。
【００３８】
リクエストカウンタＰ１４４は、端末ＴにおいてリクエストボタンＰ１４３が実行された回数であるリクエスト回数を表した画像であり、当該リクエスト回数はデータ処理部１２によって計数される。例えば、端末ＴにおいてリクエストボタンＰ１４３が実行されると、その旨の操作内容データが端末Ｔから情報配信装置１に対して送信されるように、ウェブページデータが構成されている。そして、当該操作内容データを通信部１３が受信する回数を、データ処理部１２がリクエスト回数として計数する。なお、同じ端末Ｔにおいて、リクエストボタンＰ１４３が複数回実行された場合、データ処理部１２が、そのまま複数回として計数してもよいし、全てをまとめて１回として計数してもよいし、所定の時間内（例えば、６０分間）に行われた複数回の実行に限りまとめて１回として計数してもよい。ただし、データ処理部１２が、複数回の実行を１回としてまとめて計数する場合、端末Ｔを識別する必要がある。この場合、データ処理部１２が、例えば端末ＴのＩＰアドレスやｃｏｏｋｉｅ情報を参照することで、端末Ｔを識別してもよい。また、データ処理部１２によるリクエスト回数の計数結果を表すデータは、適宜データベース１１に記録される。
【００３９】
このように、第２商品のリクエスト回数を計数すると、店舗の担当者が、第２商品の販売方針を決定する際に、顧客の第２商品に対する評価を参酌することが可能になる。したがって、店舗の担当者が、顧客の声を反映した販売方針を決定することが可能になる。
【００４０】
また、リクエスト回数が所定の閾値回数を超えると、データ処理部１２が、予め設定されている通知先に対して通知を行うようにすると、好ましい。具体的に例えば、データ処理部１２が、リクエスト回数が所定の閾値回数を超えたことを検出すると、データベース１１に記録してある店舗の担当者のメールアドレスに対して、通信部１３を介して所定のメールが送信されるように処理してもよい。
【００４１】
このように構成すると、店舗の担当者が、第２商品のリクエスト回数が増大したことを迅速に知ることができる。そのため、第２商品の販売方針を迅速に決定することが可能になる。
【００４２】
領域Ａ１２は、クーポン画像（詳細については後で図４を参照して説明する）を表示する商品を顧客に選択させるための領域である。領域Ａ１２には、クーポン画像の対象商品（以下、「第１商品」という）を特定するための情報を表す画像である第１商品画像Ｐ１２１，Ｐ１２２と、クーポン画像の閲覧数を表す閲覧カウンタＰ１２３と、選択ボタンＰ１２４と、選択解除ボタンＰ１２５と、選択確定ボタンＰ１２６と、再表示ボタンＰ１２７（詳細については後で図５を参照して説明する）と、が含まれている。
【００４３】
第１商品画像Ｐ１２１は、第１商品の外観を写真や絵で表した画像である。また、第１商品画像Ｐ１２２は、第１商品の商品名や特売価格などの情報を文字で表した画像である。なお、第１商品画像Ｐ１２２として表されている第１商品の特売価格は、第１商品の店頭表示価格よりも安価な価格である。また、第１商品画像Ｐ１２１，１２２は、店舗の従業員及び顧客が第１商品を特定することができる情報を表すものであれば、どのような画像であってもよい。例えば、第１商品画像Ｐ１２１が無く、第１商品画像Ｐ１２２のみであってもよい。また、第１商品画像Ｐ１２２が、店頭表示価格や割引率などを表す文字をさらに含んでいてもよい。
【００４４】
閲覧カウンタＰ１２３は、端末Ｔにおいてクーポン画像として表示された第１商品毎の回数を表した画像であり、当該回数はデータ処理部１２によって計数される。なお、１つの端末Ｔにおいて、同じ第１商品のクーポン画像が複数回表示された場合、データ処理部１２が、複数回として計数してもよいし、全てをまとめて１回として計数してもよいし、所定の時間内（例えば、６０分間）に行われた複数回の表示をまとめて１回として計数してもよい。ただし、データ処理部１２が、複数回の表示を１回としてまとめて計数する場合、端末Ｔを識別する必要がある。この場合、データ処理部１２が、例えば端末ＴのＩＰアドレスやｃｏｏｋｉｅ情報を参照することで、端末Ｔを識別してもよい。また、データ処理部１２によるクーポン画像の表示回数の計数結果を表すデータは、適宜データベース１１に記録される。
【００４５】
端末Ｔにおいて、選択ボタンＰ１２４が実行されると、選択解除ボタンＰ１２５が表示されるとともに、第１商品画像Ｐ１２１，Ｐ１２２、閲覧カウンタＰ１２３及び選択ボタンＰ１２４が暗く表示された状態（図中の「山形県産さくらんぼ」及び「食パン」参照）になるように、ウェブページデータが構成されている。さらに、この状態で選択解除ボタンＰ１２５が実行されると、選択解除ボタンＰ１２５が表示されなくなるとともに、第１商品画像Ｐ１２１，Ｐ１２２、閲覧カウンタＰ１２３及び選択ボタンＰ１２４が元の状態で表示されるように、ウェブページデータが構成されている。
【００４６】
そして、端末Ｔにおいて、選択確定ボタンＰ１２６が実行されると、選択ボタンＰ１２４が実行された状態（図中の「山形県産さくらんぼ」及び「食パン」参照）となっている第１商品を表す操作内容データが、端末Ｔから情報配信装置１に対して送信されるように、ウェブページデータが構成されている、そして、当該操作内容データを通信部１３が受信すると、データ処理部１２が、データベース１１に記録されている必要なデータを読み出して、選択された第１商品のクーポン画像が含まれたウェブページを端末Ｔで表示するためのウェブページデータを構成し、通信部１３が当該ウェブページデータを端末Ｔに対して送信する。
【００４７】
図４は、端末において図２の選択確定ボタンを実行した場合に表示されるウェブページの一例について示す図である。図４に示すウェブページ（第１ウェブページに相当）において、領域Ａ２１，Ａ２３は、図２及び図３に示した領域Ａ１１，Ａ１３，Ａ１５と同様の領域であるため、説明を省略する。また、領域Ａ２４は、図３に示した領域Ａ１６と同様の領域であるため、説明を省略する。
【００４８】
領域Ａ２２は、クーポン画像を表示するための領域である。領域Ａ２２には、第１商品画像Ｐ２２１，Ｐ２２２と、所定の読取装置に読み取られることで第１商品の特売価格が認識される第１商品コード画像Ｐ２２３と、保存ボタンＰ２２４と、が含まれている。なお、第１商品画像Ｐ２２１，Ｐ２２２は、図２に示した第１商品画像Ｐ１２１，Ｐ１２２と同様の画像である。また、クーポン画像とは、第１商品画像Ｐ２２１，Ｐ２２２と、第１商品コード画像Ｐ２２３と、を組み合わせた画像である。
【００４９】
第１商品コード画像Ｐ２２３は、例えばＰＯＳシステムを構成するキャッシュレジスタにおいて読み取られることで、当該キャッシュレジスタにおいて第１商品の特売価格が認識される。第１商品コード画像Ｐ２２３は、典型的にはバーコードや二次元コードを表す画像であり、光学式の読取装置によって読み取られる。なお、図４及びその他の図面では、第１商品コード画像として、バーコードを例示している。
【００５０】
また、第１商品コード画像Ｐ２２３は、例えば価格情報を表す符号を含むインストアコード（店舗で発行されて当該店舗内でのみ通用するコード）を表す画像である。このように、第１商品コード画像Ｐ２２３の少なくとも一部に、第１商品の特売価格を表す符号が含まれているように構成すると、第１商品コード画像Ｐ２２３を読み取るのみで、即座に第１商品の特売価格を認識することが可能になる。したがって、ＰＯＳシステムを構成するデータベースにおいて複雑な設定をすることなく、簡易な方法で二重価格を設定することが可能になる。
【００５１】
顧客は、図４に示すウェブページが表示された状態の端末Ｔを、店舗での精算処理時において従業員に対して提示する。当該従業員は、端末Ｔに表示された第１商品画像Ｐ２２１，Ｐ２２２に基づいて、顧客が持ってきた商品が第１商品であるか否かを確認する。そして、顧客が持ってきた商品が第１商品であれば、当該商品に取り付けられている店頭表示価格を表す値札の代わりに、端末Ｔに表示された第１商品コード画像Ｐ２２３を読み取ることで、精算処理を行う。これにより、顧客は、店頭表示価格よりも安価である特売価格で、第１商品を購入することができる。また、顧客が、店舗での精算処理時において、端末Ｔを提示する代わりに、図４に示すウェブページを印刷した紙を提示した場合も、同様の精算処理が行われる。
【００５２】
このように、本発明の実施形態に係る情報配信装置１は、クーポン画像が含まれるウェブページを端末Ｔで表示するためのウェブページデータを送信することによって、店頭表示価格と、クーポン画像で設定する特売価格と、の二重価格を設定することが可能になる。そのため、ウェブページを見た顧客を店舗に誘引するとともに、ウェブページの閲覧を促進することが可能になる。
【００５３】
さらに、店舗における精算処理では、従業員が、顧客から提示された端末Ｔに表示されている（または、顧客から提示された紙に印刷されている）第１商品コード画像を読み取るという１回の操作のみで、第１商品の精算処理を行うことができる。したがって、精算処理を迅速かつ円滑に行うことが可能になる。
【００５４】
以上のように、本発明の実施形態に係る情報配信装置１は、精算処理の迅速性及び円滑性を損なうことなく、顧客に対して有益な情報を配信することで顧客を誘引することが可能である。
【００５５】
特に、図２及び図３に示したような、クーポン画像を表示すべき第１商品を選択するウェブページを端末Ｔに表示することによって、図４に示すウェブページにおいて、顧客が選択した第１商品のクーポン画像のみが端末Ｔに表示されることになる。そのため、全ての第１商品のクーポン画像を表示する場合（特に、図２に例示する場合とは異なり、第１商品が数十種類などの多数になる場合）と比較して、第１ウェブページを小さくすることができる。したがって、店舗で精算処理をする際に、従業員が読み取るべきクーポン画像を発見し易くすることが可能になるため、精算処理の迅速性及び円滑性が損なわれることを効果的に抑制することが可能になる。
【００５６】
また、端末Ｔにおいて、保存ボタンＰ２２４が実行されると、選択表示したクーポン画像を表す情報（例えば、第１商品やクーポン画像の管理番号などを表す情報）が、端末Ｔのｃｏｏｋｉｅ情報に付加されるように、ウェブページデータが構成されている。なお、端末Ｔにおいて保存ボタンＰ２２４が実行された場合、保存完了を示すメッセージが端末Ｔに表示されるように、ウェブページデータが構成されていてもよい。
【００５７】
図５は、図４の保存ボタンを実行したことがある端末において表示されるウェブページ（トップページ）の一例について示す図である。なお、図５に示すウェブページは、図２及び図３に示したウェブページと同様のトップページであり、図２及び図３に示したウェブページと同様の領域を含む。そのため、図５では、図３に示した領域Ａ１３〜Ａ１６と同様の領域の表示を省略している。また、図５に示す領域Ａ３１は、図２に示した領域Ａ１１と同様の領域であるため、説明を省略する。
【００５８】
図５に示すように、図４の保存ボタンＰ２４４を実行したことがある端末Ｔ（過去に選択表示したクーポン画像を表す情報がｃｏｏｋｉｅ情報に付加されている端末）では、再表示ボタンＰ３２７が実行可能な状態となる。これに対して、図４の保存ボタンＰ２４４を実行したことがない端末Ｔ（過去に選択表示したクーポン画像を表す情報がｃｏｏｋｉｅ情報に付加されていない端末）では、図１に示したように、再表示ボタンＰ１２７が実行不可能な状態（例えば、グレーアウトで表示され、操作を受け付けない状態）となる。このように、端末Ｔのｃｏｏｋｉｅ情報によって再表示ボタンＰ１２７，Ｐ３２７の状態が異なるように、図２及び図３並びに図５に示すウェブページ（トップページ）を端末Ｔに表示するためのウェブページデータが構成されている。
【００５９】
端末Ｔにおいて、再表示ボタンＰ３２７を実行する操作が行われると、その旨の操作内容データが端末Ｔから情報配信装置１に対して送信されるように、ウェブページデータが構成されている。そして、当該操作内容データを通信部１３が受信すると、データ処理部１２は、端末Ｔのｃｏｏｋｉｅ情報を参照することで、端末Ｔにおいて保存された第１商品を認識する。さらに、データ処理部１２は、データベース１１に記録されている必要なデータを読み出して、当該第１商品のクーポン画像が含まれるウェブページを端末Ｔで表示するためのウェブページデータを構成し、通信部１３が当該ウェブページデータを端末Ｔに対して送信する。
【００６０】
図６は、端末において図５の再表示ボタンを実行した場合に表示されるウェブページの一例について示す図である。図６に示すウェブページ（第３ウェブページに相当）において、領域Ａ４１，Ａ４３は、図２及び図３に示した領域Ａ１１，Ａ１３，Ａ１５と同様の領域であるため、説明を省略する。また、領域Ａ４４は、図３に示した領域Ａ１６と同様の領域であるため、説明を省略する。
【００６１】
領域Ａ４２は、保存したクーポン画像を表示するための領域である。なお、領域Ａ４２に表示されるクーポン画像も、第１商品画像Ｐ４２１，Ｐ４２２と、第１商品コード画像Ｐ４２３と、を組み合わせた画像であり、図４に示したクーポン画像と同様である。
【００６２】
このように、端末Ｔにおけるウェブページ上の操作によってクーポン画像の保存を可能にすることで、顧客がクーポン画像を別途保存したり印刷したりする手間を省くことが可能になる。特に、顧客が、店舗に赴いて精算処理を行うまでの間に、端末Ｔ（特に、スマートフォンやタブレット端末などのモバイル端末）を自由に使用することが可能になる。
【００６３】
なお、端末Ｔのｃｏｏｋｉｅ情報に付加される、過去に選択表示したクーポン画像を表す情報は、所定の時点（例えば、深夜０時などの特定の時点や、記録してから２４時間などの所定の時間が経過した時点）の到来によって消去されるように構成してもよい。このように構成すると、例えば、使用期限の過ぎた古いクーポン画像や、端末Ｔの誤操作などによって保存されたクーポン画像が、いつまでも端末Ｔで表示され得ることを防止することが可能になる。
【００６４】
また、上述の動作例では、端末Ｔのｃｏｏｋｉｅ情報を利用してクーポン画像の保存を実現するとしたが、保存すべきクーポン画像を表す情報をデータベース１１に記録してもよい。ただし、この場合、端末Ｔにおいて保存ボタンＰ２２４（図４参照）を実行する際に、端末Ｔから情報配信装置１に対して、保存すべきクーポン画像を表す情報を送信する必要がある。これに対して、端末Ｔのｃｏｏｋｉｅ情報を利用する上述の動作例の場合、端末Ｔにおいて保存ボタンＰ２２４を実行しても、端末Ｔから情報配信装置１に対して情報を送信する必要がなく、処理を簡略化することができるため、好ましい。
【００６５】
また、図６では、広告を表示する領域Ａ４１，Ａ４３を含むウェブページを例示している。ただし、従業員がクーポン画像を迅速かつ円滑に読み取る観点から、図６に示すような最終的なクーポン画像が表示されるウェブページにおいては、広告を表示する領域Ａ４１，Ａ４３が含まれないようにすると、好ましい。
【００６６】
また、図４の保存ボタンＰ２２４と、図２及び図５の再表示ボタンＰ１２７，Ｐ３２７と、を実行する操作によって実現されるクーポン画像の保存は、上述のように、スマートフォンやタブレット端末などのモバイル端末において利用されると好適である。そのため、クーポン画像の印刷が想定されるパソコンなどの端末では、図４の保存ボタンＰ２２４と、図２及び図５の再表示ボタンＰ１２７，Ｐ３２７と、がウェブページに含まれないように、データ処理部１２がパソコンなどの端末用のウェブページデータを構成してもよい。
【００６７】
＜第２動作例＞
次に、端末Ｔがフィーチャーフォンなどの簡易的なブラウジングのみが可能な端末（例えば、パソコンと同じフルブラウジングが不可能な端末。以下、「特定端末」という。）である場合における、情報配信装置１の動作例について、図面を参照して説明する。なお、以下では、上述した図２〜図６に示したウェブページと異なる点について中心に説明する。
【００６８】
図７は、特定端末に表示されるウェブページ（トップページ）の一例について示す図である。図７に示すウェブページにおいて、領域Ａ５１，Ａ５３，Ａ５５は、図２及び図３に示した領域Ａ１１，Ａ１３，Ａ１５と同様の領域であるため、説明を省略する。また、領域Ａ５６は、特定端末による操作が考慮されている（例えば、ダイヤルキーでメニューボタンを実行可能になっている）点を除いて、図３に示した領域Ａ１６と同様の領域であるため、説明を省略する。
【００６９】
図２及び図３に示したウェブページとは異なり、図７に示すウェブページには、第１商品及び第２商品に関する画像やボタンが含まれていない。その代わりに、領域Ａ５２において、第１商品に関する画像等を表示するための第１商品表示ボタンＰ５２１が設けられている。また、領域Ａ５４において、第２商品に関する画像等を表示するための第２商品表示ボタンＰ５４１が設けられている。
【００７０】
端末Ｔにおいて、第２商品表示ボタンＰ５４１を実行する操作が行われると、その旨の操作内容データが端末Ｔから情報配信装置１に対して送信されるように、ウェブページデータが構成されている。
【００７１】
図８は、特定端末において図７の第２商品表示ボタンを実行した場合に表示されるウェブページの一例について示す図である。図８に示すウェブページにおいて、領域Ａ６１，Ａ６３は、図２及び図３に示した領域Ａ１１，Ａ１３，Ａ１５と同様の領域であるため、説明を省略する。また、領域Ａ６２は、図３に示した領域Ａ１４と同様の領域であるため、説明を省略する。また、領域Ａ６４は、図７に示した領域Ａ５６と同様の領域であるため、説明を省略する。
【００７２】
また、端末Ｔにおいて、第１商品表示ボタンＰ５２１を実行する操作が行われると、その旨の操作内容データが端末Ｔから情報配信装置１に対して送信されるように、ウェブページデータが構成されている。
【００７３】
図９は、特定端末において図７の第１商品表示ボタンを実行した場合に表示されるウェブページの一例について示す図である。なお、紙面の都合上、図９に示すウェブページにおいて、図７に示した領域Ａ５６と同様の領域である領域Ａ７４については、大部分の表示を省略している。また、図９に示すウェブページにおいて、領域Ａ７１，Ａ７３は、図２及び図３に示した領域Ａ１１，Ａ１３，Ａ１５と同様の領域であるため、説明を省略する。
【００７４】
領域Ａ７２は、図２及び図３に示した領域Ａ１２と同様に、クーポン画像（ただし、本動作例では簡易クーポン画像。詳細については図１０を参照して後述する。）を表示すべき第１商品を顧客に選択させるための領域である。領域Ａ７２には、図２及び図３に示した第１商品画像Ｐ１２１，Ｐ１２２、閲覧カウンタＰ１２３及び選択確定ボタンＰ１２６に相当する、第１商品画像Ｐ７２１，Ｐ７２２、閲覧カウンタＰ７２３及び選択確定ボタンＰ７２５が含まれている。しかし、領域Ａ７２には、図２及び図３に示した選択ボタンＰ１２４及び選択解除ボタンＰ１２５と、再表示ボタンＰ１２７に相当するボタンが、含まれていない。
【００７５】
領域Ａ７２では、第１商品の選択及び選択解除が、チェックボックスＰ７２４に対する操作によって行われる。チェックボックスＰ７２４は、端末Ｔにおいて実行される毎に、オン及びオフの２つの状態を繰り返す。図９に示す例では、「山形県産さくらんぼ」及び「食パン」のチェックボックスＰ７２４がオンの状態（選択されている状態）を表しており、「りんご」及び「しいたけ」のチェックボックスＰ７２４がオフの状態（選択されていない状態）を表している。
【００７６】
端末Ｔにおいて、選択確定ボタンＰ７２５が実行されると、チェックボックスＰ７２５がオンの状態（図中の「山形県産さくらんぼ」及び「食パン」参照）となっている第１商品を表す操作内容データが、端末Ｔから情報配信装置１に対して送信されるように、ウェブページデータが構成されている、そして、当該操作内容データを通信部１３が受信すると、データ処理部１２が、データベース１１に記録されている必要なデータを読み出して、選択された第１商品の簡易クーポン画像（詳細については図１０を参照して後述）が含まれたウェブページを端末Ｔで表示するためのウェブページデータを構成し、通信部１３が当該ウェブページデータを端末Ｔに対して送信する。
【００７７】
図１０は、特定端末において図８の選択確定ボタンを実行した場合に表示されるウェブページの一例について示す図である。図１０に示すウェブページ（第５ウェブページに相当）において、領域Ａ８１，Ａ８３は、図２及び図３に示した領域Ａ１１，Ａ１３，Ａ１５と同様の領域であるため、説明を省略する。また、領域Ａ８４は、図７に示した領域Ａ５６と同様の領域であるため、説明を省略する。
【００７８】
領域Ａ８２は、簡易クーポン画像を表示するための領域である。領域Ａ８２には、第１商品画像Ｐ８２１，Ｐ８２２と、閲覧カウンタＰ８２３と、が含まれている。なお、第１商品画像Ｐ８２１，Ｐ８２２及び閲覧カウンタＰ８２３は、図９に示した第１商品画像Ｐ７２１，Ｐ７２２及び閲覧カウンタＰ７２３と同様の画像である。また、簡易クーポン画像とは、第１商品画像Ｐ８２１，Ｐ８２２によって構成される画像である。
【００７９】
顧客は、図１０に示すウェブページが表示された状態の端末Ｔを、店舗での精算処理時において従業員に対して提示する。当該従業員は、端末Ｔに表示された第１商品画像Ｐ８２１，Ｐ８２２に基づいて、顧客が持ってきた商品が第１商品であるか否かを確認する。そして、顧客が持ってきた商品が第１商品であれば、商品に取り付けられている値札に記載の店頭表示価格の代わりに、端末Ｔに表示された簡易クーポン画像に記載の特売価格をキャッシュレジスタに入力することで、精算処理を行う。これにより、顧客は、店頭表示価格よりも安価である特売価格で、第１商品を購入することができる。
【００８０】
このように、本発明の実施形態に係る情報配信装置１では、端末Ｔがフィーチャーフォンなどの特定端末であっても、端末Ｔに則した形態で利用することができる。
【００８１】
なお、端末Ｔがフィーチャーフォンなどの特定端末であっても、キャッシュレジスタで読み取り可能な第１商品コード画像Ｐ２２３（図４参照）を表示可能であるならば、図１０に示す領域Ａ８２において、第１商品コード画像Ｐ２２３を表示してもよい。
【００８２】
＜第１商品の展示方法＞
上述のように、本発明の実施形態に係る情報配信装置１を利用する場合、第１商品について二重価格（店頭表示価格及び特売価格）が発生する。このような状況では、従業員が、第１商品である商品の精算処理をする際に、当該商品が第１商品であることを看過して、クーポン画像ではなく当該商品の値札を誤って読み取ることが懸念される。また、第１商品ではない商品の精算処理をする際に、当該商品が第１商品であると誤認して、クーポン画像を誤って読み取ることが懸念される。また、顧客が、第１商品ではない商品を第１商品であるとして誤って認識する（例えば、第１商品がさくらんぼである場合において、顧客がさくらんぼと間違えてアメリカンチェリーを第１商品であると認識する）ことなども懸念される。
【００８３】
そこで、店舗において第１商品を展示する場合は、従業員及び顧客に対して第１商品であることをアピールするために、第１商品であることを表す印を付加すると、好ましい。この印の具体例について、図面を参照して説明する。
【００８４】
図１１は、第１商品の店舗での展示方法の一例について示す図である。図１１（ａ）は、第１商品の値札の一例について示した平面図である。図１１（ｂ）は、第１商品を展示する陳列台の一例について示した斜視図である。
【００８５】
図１１（ａ）に示す第１商品の値札５０には、商品名及び店頭表示価格を表す文字５１と、キャッシュレジスタ等の読み取り装置によって読み取られることで第１商品の店頭表示価格が認識されるコード５２と、第１商品であることを示す印（図示の例では「（Ｗ）」）５３と、が印刷されている。
【００８６】
このように、精算処理時に従業員が必ず見る値札５０に対して、第１商品であることを示す印５３を付加することによって、従業員において、精算処理をしようとしている商品が第１商品であるか否かを明確に認識することが可能になる。
【００８７】
上記のような印５３を含む値札５０は、例えば、ＰＯＳシステムとは独立したラベルライタを使用する場合、商品名の最後に印５３が挿入されるように当該ラベルライタを操作することで、作製することができる。また例えば、ＰＯＳシステムを構成するデータベースに記録されているデータを参照するラベルライタを使用する場合、当該データベースに記録する商品名の最後に印５３を挿入することで、作製することができる。
【００８８】
ところで、商品の流通の便宜のために登録された全国共通のコード（例えば、ＪＡＮコード）を有する商品の場合、通常、店舗においてインストアコードを発行することなく、ＰＯＳシステムを構成するデータベースに当該商品の店頭表示価格を記録する。この場合、キャッシュレジスタが当該商品のコードを読み取ると、ＰＯＳシステムを構成するデータベースに記録されている当該商品の店頭表示価格が読み出されることで、キャッシュレジスタにおいて当該商品の店頭表示価格が認識される。
【００８９】
このような全国共通のコードを有する商品の場合も、図１１（ａ）に示す商品と同様に、印５３が付加されたインストアコードを発行してもよいし、商品の外装（特に、コードの付近）にシールなどを付加してもよい。しかし、これらの作業は、本来は不要なものであるため、商品を陳列する従業員の負担が大きくなり得る。また、全国共通のコードが登録されている商品は、通常、他の商品との差別化のために、一見して認識し易い外装になっている。そのため、全国共通のコードが登録されている商品については、当該商品が第１商品であることを記載したビラをキャッシュレジスタの周辺に掲示するなど、従業員に対する注意喚起で足りる。
【００９０】
したがって、全国共通のコードを有する商品に対しては印５３を付加せず、生鮮食品などのインストアコードを発行する必要がある商品についてのみ印５３を付加した値札５０を発行すると、好ましい。
【００９１】
なお、印５３は１種類に限られず、第１商品の種類毎に異なる複数種類の印を設定してもよい。例えばこの場合、図４及び図１０に示したクーポン画像及び簡易クーポン画像にも値札５０と同様の印を付加するとともに、同種の第１商品の値札５０に付加される印５３とクーポン画像及び簡易クーポン画像に付加される印とが一致するように構成してもよい。このように構成すると、精算処理をする従業員は、第１商品の値札５０とクーポン画像及び簡易クーポン画像との両者に付加されている印が一致するか否かを確認することのみで、第１商品とクーポン画像及び簡易クーポン画像とが対応しているか否かを容易に確認することが可能になる。
【００９２】
また、図１１（ｂ）に示す、第１商品を展示する陳列台６０では、第１商品を表すＰＯＰ（Point Of Purchase）広告から成る印６１が付加されている。
【００９３】
このように、顧客が商品を選択する際に目に入るように、陳列台６０に第１商品であることを示す印６１を付加することによって、顧客において、第１商品ではない商品を第１商品であると誤って認識することを抑制することが可能になる
【００９４】
＜変形等＞
［１］  複数の店舗を有する会社において情報配信装置１を使用する場合、データ処理部１２が、店舗毎に異なるウェブページデータを構成するようにしてもよい。さらにこの場合、データ処理部１２が、情報配信装置１にアクセスしてきた端末Ｔの位置情報を取得して、当該端末Ｔの位置に最も近い店舗のウェブページを構成してもよい。
【００９５】
また、この場合、全ての店舗で共通するクーポン画像を発行してもよいし、一部または全部の店舗において異なるクーポン画像を発行してもよい。このとき、クーポン画像を構成する第１商品コード画像Ｐ２２３（図４参照）は、店舗情報を含まない構成として全ての店舗で使用可能としてもよいし、店舗情報を含み特定の店舗でのみ使用可能としてもよい。
【００９６】
［２］  情報配信装置１を構成するデータベース１１を、ＰＯＳシステムを構成するデータベースと共通化してもよいし、ＰＯＳシステムを構成するデータベースと連携するように構成してもよい。
【００９７】
この場合、１つのデータベースに第１商品の情報を記録するだけで、図４及び図１０に示したようなクーポン画像及び簡易クーポン画像を含むウェブページが端末Ｔに表示されるようになるとともに、ＰＯＳシステムを構成するデータベースに記録されているデータを参照するラベルライタを用いて図１１（ａ）に示すような印５３が付加された値札５０を作製することが可能になる。
【産業上の利用可能性】
【００９８】
本発明は、インターネット等の通信ネットワークを介して端末に情報を配信する情報配信装置と、当該情報配信装置を利用した商品販売支援システムに利用することができる。特に、当該情報配信装置及び当該商品販売支援システムは、小売業に適用すると好適である。
【符号の説明】
【００９９】
１    情報配信装置
１１  データベース
１２  データ処理部
１３  通信部
Ｐ１２１，Ｐ１２２，Ｐ２２１，Ｐ２２２，Ｐ４２１，Ｐ４２２  第１商品画像
Ｐ７２１，Ｐ７２２，Ｐ８２１，Ｐ８２２  第１商品画像
Ｐ２２３，Ｐ４２３  第１商品コード画像
Ｐ１４１，Ｐ１４２，Ｐ２２１，Ｐ２２２  第２商品画像
Ｐ１４３  リクエストボタン
Ｐ２２４  保存ボタン
Ｐ１２７，Ｐ３２７  再表示ボタン
Ｎ    通信ネットワーク
Ｔ    端末
５３，６１  印
【要約】
【課題】  精算処理の迅速性及び円滑性を損なうことなく、顧客に対して有益な情報を配信することで顧客を誘引する情報配信装置を提供する。
【解決手段】  情報配信装置１は、ウェブページデータを構成するために必要なデータを記録するデータベース１１と、データベース１１から必要なデータを読み出してウェブページデータを構成するデータ処理部１２と、データ処理部１２が構成したウェブページデータを、通信ネットワークＮを介して端末Ｔに対して送信する通信部１３と、を備える。データ処理部１２は、第１商品を表す第１商品画像と、所定の読取装置に読み取られることで第１商品の販売価格が認識される第１商品コード画像と、が組み合わせられたクーポン画像が含まれる第１ウェブページを端末Ｔで表示するためのウェブページデータを構成する。
【選択図】  図１【図１】
0005936756.tif 000002
【図３】
0005936756.tif 000003
【図４】
0005936756.tif 000004
【図５】
0005936756.tif 000005
【図６】
0005936756.tif 000006
【図７】
0005936756.tif 000007
【図８】
0005936756.tif 000008
【図９】
0005936756.tif 000009
【図１０】
0005936756.tif 000010
【図１１】
0005936756.tif 000011
【図２】
0005936756.tif 000012